(57)【要約】    本発明は、無線綴じ製本装置の糊付けユニットに関するものである。    本発明の課題は、糊付けユニットの構造をより簡素化しつつ、本身の背両側ののど領域への糊の塗布が確実に行えるようにすることにある。    糊付けユニットは、本身（Ｐ）の背（ｒ）両側ののど領域（ｓ）に係合し得る横糊塗部材を備え、横糊塗部材は、一対のスクレーパ（７、７）を備える。    一対のスクレーパは、それぞれ、弾力性を有する棒状の本体（７ａ）と、本体の先端に設けられたスクレープ部（７ｂ）からなり、本身の経路の両外側から経路内に斜めに進入して、経路を塞ぐように逆Ｖ字状に交差して配置される。    本体（７ａ）の後端が経路の両外側においてフレーム（１）に固定され、スクレープ部（７ｂ）が経路内において糊塗布ローラ（３）の頂面よりも下流側に位置し、本身の下方に突出する部分が一対のスクレーパ間を通過する間に、スクレープ部が本体によって弾性付勢されつつ本身の背両側ののど領域に係合する。
2013031014.tif 000002
【特許請求の範囲】
【請求項１】
無線綴じ製本装置に組み込まれるとともに、前記無線綴じ製本装置のクランプユニットの軌道の途中において前記軌道の下方に配置され、前記クランプユニットが通過する間に、前記クランプユニットに挟持された本身の前記クランプユニットから下方に突出する背および背両側ののど領域に糊を塗布する糊付けユニットであって、
フレームと、
前記フレームに取付けられた、糊を収容する糊タンクと、
前記糊タンク内に収容され、かつ、前記フレームに対し、前記クランプユニットの軌道を横切ってのびる軸のまわりに回転可能に取付けられた、前記本身の背に糊を塗布する糊塗布ローラと、
前記フレームに取付けられ、前記糊塗布ローラを回転させるモータと、を備え、
前記糊塗布ローラの一部が前記糊タンクの糊に浸漬されるとともに、糊が付着した前記糊塗布ローラの頂面領域が前記本身の背に係合するようになっており、さらに、
前記フレームに取付けられて、前記本身の前記クランプユニットから下方に突出する部分の経路の両側に配置され、前記本身の背両側ののど領域に係合し得る横糊塗部材を備え、
前記横糊塗布部材が、一対のスクレーパを備え、
前記一対のスクレーパは、それぞれ、
弾力性を有する棒状または細長い板状の本体と、
前記本体の先端に設けられたスクレープ部と、からなり、
前記一対のスクレーパが、前記本身の前記クランプユニットから下方に突出する部分の経路の両外側から前記本身の移動方向に沿って前記経路内に斜めに進入して、前記経路を塞ぐように逆Ｖ字状に交差して配置され、前記本体の後端が前記経路の両外側において前記フレームまたは前記糊タンクに固定され、前記スクレープ部が前記経路内において前記糊塗布ローラの頂面よりも下流側に位置し、それによって、前記本身の前記下方に突出する部分が前記一対のスクレーパ間を通過する間に、前記スクレープ部が前記本体によって弾性付勢されつつ前記本身の背両側ののど領域に係合するものであることを特徴とする糊付けユニット。
【請求項２】
前記スクレーパの前記本体は棒状を有し、前記スクレープ部は、下向きに折り曲げられた前記本体の先端部からなっていることを特徴とする請求項１に記載の糊付けユニット。
【請求項３】
前記スクレーパの前記スクレープ部は、上下方向にのびる中空のまたは中身の詰まった円筒体からなり、前記円筒体の外周面の一部が前記本身の背両側ののど領域に係合することを特徴とする請求項１に記載の糊付けユニット。
【請求項４】
前記スクレーパの前記本体は細長い板状を有し、前記本体の先端部が、前記本体の幅方向に沿って折り曲げられることによって、折り線に沿って角が形成されており、前記スクレープ部は前記角からなり、前記一対のスクレーパは、前記スクレープ部が互いに対向するような配置で、前記フレームに取付けられていることを特徴とする請求項１に記載の糊付けユニット。
【請求項５】
前記スクレーパの前記スクレープ部は、
前記本体の先端に設けられたローラ受け部を備え、前記ローラ受け部は、上下に間隔をあけて対向配置された上側および下側支持面と、前記上側および下側支持面の間に形成されたローラ収容開口とを有し、
前記スクレープ部は、さらに、
前記ローラ収容開口内に配置され、前記上側および下側支持面に対し、上下方向にのびる軸のまわりに回転可能に取付けられたスクレープローラを備え、前記スクレープローラの外周面が、前記本身の背両側ののど領域に係合することを特徴とする請求項１に記載の糊付けユニット。
【請求項６】
前記スクレーパの前記本体の後端は、前記フレームまたは前記糊タンクに設けられた高さ調節可能な支持台に固定されていることを特徴とする請求項１〜請求項５のいずれかに記載の糊付けユニット。
【請求項７】
前記フレームに取付けられるとともに、前記糊塗布ローラの回転方向の前記糊塗布ローラの前記頂面よりも上流側において前記糊塗布ローラの外周面に対し当接および離間可能に配置された、前記糊塗布ローラに付着する糊の量を調節するワイパーと、
前記フレームに取付けられ、前記ワイパーを動かすワイパー駆動機構と、を備えたことを特徴とする請求項１〜請求項５のいずれかに記載の糊付けユニット。
【発明の詳細な説明】
【技術分野】
【０００１】
本発明は、無線綴じ製本装置の糊付けユニットに関するものである。
【背景技術】
【０００２】
従来の無線綴じ製本装置として、例えば、一連の処理ユニットと、これらの処理ユニット上を順次通過する少なくとも１つのクランプユニットとを備え、本身が、背を下向きにしてクランプユニットに挟持され、クランプユニットによって搬送される間に無線綴じ製本処理が行われる装置が知られている（例えば、特許文献１参照）。【０００３】
図６は、この無線綴じ製本装置の概略的な構成を示す平面図である。図６を参照して、無線綴じ製本装置は、搬送路Ｆに沿って配置された一連の処理ユニット（ミリングユニットＢ、糊付けユニットＣおよび表紙付けユニットＤ）と、搬送路Ｆに沿って往復運動し得る単一のクランプユニット３１と、クランプユニット３１を往復運動させる駆動機構（図示されない）と、を備えている。クランプユニット３１は、固定クランプ板３１ａおよび可動クランプ板３１ｂと、可動クランプ板３１ｂを固定クランプ板３１ａに対し近接および離間する方向に動かすモータＭ１と、を備えている。【０００４】
製本処理が開始されると、本身挿入位置Ａにおいて、本身（図示されない）が、背を下にして揃え板３１ｃ上に置かれるとともに、クランプユニット３１の一対のクランプ板３１ａ、３１ｂの間に挿入され、本身ののど領域がクランプユニット１から下向きに突出した状態で挟持された後、クランプユニット３１によって搬送路Ｆに沿ってミリングユニットＢに送られる。【０００５】
ミリングユニットＢは、フライスカッター３２ａと、固定ガイド板３２ｂおよび可動ガイド板３２ｃと、可動ガイド板３２ｃを固定ガイド板３２ｂに対し近接および離間する方向に動かすモータＭ２と、を備えている。そして、本身がクランプユニット３１とともにフライスカッター３２ａ上を通過する間に、本身の背両側ののど領域が一対のガイド板３２ｂ、３２ｃ間に案内されつつ、本身の背が切削される。その後、本身は、クランプユニット３１とともに糊付けユニットＣに送られる。【０００６】
糊付けユニットＣは、糊を収容する糊タンク３３ａと、糊塗布ローラ３３ｂと、固定横糊塗布ローラ３３ｃおよび可動横糊塗布ローラ３３ｄと、可動横糊塗布ローラ３３ｄを固定横糊塗布ローラ３３ｃに対し近接および離間する方向に動かすモータＭ３と、余分な糊を拭き取るローラ３３ｅと、を備えている。糊付けが終了すると、本身は、クランプユニット３１とともに表紙付けユニットＤに送られる。【０００７】
表紙付けユニットＤは、底板３４ｃと、固定ニップ板３４ａおよび可動ニップ板３４ｂと、可動ニップ板３４ｂを固定ニップ板３４ａに対し近接および離間する方向に動かすモータＭ４と、を備えている。【０００８】
表紙供給ユニットＥは、表紙Ｑが置かれたトレイと、表紙Ｑをトレイから表紙付けユニットＤの底板３４ｃおよび一対のニップ板３４ａ、３４ｂ上に搬送する表紙搬送機構と、を備えている。
表紙搬送機構は、表紙Ｑの所定位置に折目を付ける一対の折目形成ローラ３５ａ、３５ｂを有している。一対の折目形成ローラ３５ａ、３５ｂは、固定折目形成ローラ３５ａと、可動折目形成ローラ３５ｂとから構成される。可動折目形成ローラ３５ｂは、モータＭ５の駆動によって、固定折目形成ローラ３５ａに対し近接および離間する方向に動かされる。【０００９】
無線綴じ製本装置は、さらに、本身の厚さを測定する測定ユニット３６を備えており、製本処理に先立って、本身の厚さが、操作者により、測定ユニット３６を用いて測定される。そして、当該測定値に基づき、本身の挟持前の一対のクランプ板３１ａ、３１ｂの間隔、ミリングユニットＢの一対のガイド板３２ｂ、３２ｃの間隔、糊付けユニットＣの一対の横糊ローラ３３ｃ、３３ｄの間隔、表紙付けユニットＤの一対のニップ板３４ａ、３４ｂの間隔および表紙供給ユニットＥの一対の折目形成ローラ３５ａ、３５ｂの間隔が、制御部３７によって、本身の厚さに対応するように予め調節される。
こうして、本身がクランプユニット３１の一対のクランプ板３１ａ、３１ｂに挟持されて一連の処理ユニットＢ〜Ｄを順次通過せしめられる間に無線綴じ製本処理がなされる。【００１０】
この無線綴じ製本装置の糊付けユニットＣにおいては、製本に先立って、一対の横糊塗布ローラ３３ｃ、３３ｄの間隔が、製本すべき本身の厚さに対応するように調節された後、固定されるので、本身が一対のクランプ板３１ａ、３１ｂに締付け、挟持されるにもかかわらず、本身の背がその長さ方向に波打っているような場合には、本身が糊付けユニットＣ上を通過する間に、横糊塗布ローラ３３ｃ、３３ｄが、本身の背の全長にわたって背両側ののど領域に一様な圧力を及ぼしながら係合することができず、その結果、糊の塗布ムラが生じて、製本の仕上がりが悪くなるという問題があった。【００１１】
また、この糊付けユニットＣにおいては、一対の横糊塗布ローラ３３ｃ、３３ｄ間の間隔の調節が、モータＭ３によって、可動横糊塗布ローラ３３ｄを固定横糊塗布ローラ３３ｃに対して動かすことによって行われるため、間隔調節機構が複雑であり、それが、糊付けユニットＣの製造コストを押し上げ、また大型化を招く要因の１つとなっていた。
【先行技術文献】
【特許文献】
【００１２】
【特許文献１】特開２００９−２８５９０６号公報
【発明の概要】
【発明が解決しようとする課題】
【００１３】
したがって、本発明の課題は、糊付けユニットの構造をより簡素化することで低コスト化を図りつつ、本身の背両側ののど領域への糊の塗布が確実に行えるようにすることにある。
【課題を解決するための手段】
【００１４】
この課題を解決すべく、本発明によれば、無線綴じ製本装置に組み込まれるとともに、前記無線綴じ製本装置のクランプユニットの軌道の途中において前記軌道の下方に配置され、前記クランプユニットが通過する間に、前記クランプユニットに挟持された本身の前記クランプユニットから下方に突出する背および背両側ののど領域に糊を塗布する糊付けユニットであって、フレームと、前記フレームに取付けられた、糊を収容する糊タンクと、前記糊タンク内に収容され、かつ、前記フレームに対し、前記クランプユニットの軌道を横切ってのびる軸のまわりに回転可能に取付けられた、前記本身の背に糊を塗布する糊塗布ローラと、前記フレームに取付けられ、前記糊塗布ローラを回転させるモータと、を備え、前記糊塗布ローラの一部が前記糊タンクの糊に浸漬されるとともに、糊が付着した前記糊塗布ローラの頂面領域が前記本身の背に係合するようになっており、さらに、前記フレームに取付けられて、前記本身の前記クランプユニットから下方に突出する部分の経路の両側に配置され、前記本身の背両側ののど領域に係合し得る横糊塗部材を備え、前記横糊塗布部材が、一対のスクレーパを備え、前記一対のスクレーパは、それぞれ、弾力性を有する棒状または細長い板状の本体と、前記本体の先端に設けられたスクレープ部と、からなり、前記一対のスクレーパが、前記本身の前記クランプユニットから下方に突出する部分の経路の両外側から前記本身の移動方向に沿って前記経路内に斜めに進入して、前記経路を塞ぐように逆Ｖ字状に交差して配置され、前記本体の後端が前記経路の両外側において前記フレームまたは前記糊タンクに固定され、前記スクレープ部が前記経路内において前記糊塗布ローラの頂面よりも下流側に位置し、それによって、前記本身の前記下方に突出する部分が前記一対のスクレーパ間を通過する間に、前記スクレープ部が前記本体によって弾性付勢されつつ前記本身の背両側ののど領域に係合するものであることを特徴とする糊付けユニットが提供される。【００１５】
本発明の好ましい実施例によれば、前記スクレーパの前記本体は棒状を有し、前記スクレープ部は、下向きに折り曲げられた前記本体の先端部からなっている。
本発明の別の好ましい実施例によれば、前記スクレーパの前記スクレープ部は、上下方向にのびる中空のまたは中身の詰まった円筒体からなり、前記円筒体の外周面の一部が前記本身の背両側ののど領域に係合する。【００１６】
本発明のさらに別の好ましい実施例によれば、前記スクレーパの前記本体は細長い板状を有し、前記本体の先端部が、前記本体の幅方向に沿って折り曲げられることによって、折り線に沿って角が形成されており、前記スクレープ部は前記角からなり、前記一対のスクレーパは、前記スクレープ部が互いに対向するような配置で、前記フレームに取付けられている。【００１７】
本発明のさらに別の好ましい実施例によれば、前記スクレーパの前記スクレープ部は、前記本体の先端に設けられたローラ受け部を備え、前記ローラ受け部は、上下に間隔をあけて対向配置された上側および下側支持面と、前記上側および下側支持面の間に形成されたローラ収容開口とを有し、前記スクレープ部は、さらに、前記ローラ収容開口内に配置され、前記上側および下側支持面に対し、上下方向にのびる軸のまわりに回転可能に取付けられたスクレープローラを備え、前記スクレープローラの外周面が、前記本身の背両側ののど領域に係合する。【００１８】
本発明のさらに別の好ましい実施例によれば、前記スクレーパの前記本体の後端は、前記フレームまたは前記糊タンクに設けられた高さ調節可能な支持台に固定されている。
本発明のさらに別の好ましい実施例によれば、前記糊付けユニットは、前記フレームに取付けられるとともに、前記糊塗布ローラの回転方向の前記糊塗布ローラの前記頂面よりも上流側において前記糊塗布ローラの外周面に対し当接および離間可能に配置された、前記糊塗布ローラに付着する糊の量を調節するワイパーと、前記フレームに取付けられ、前記ワイパーを動かすワイパー駆動機構と、を備えている。
【発明の効果】
【００１９】
本発明によれば、一対のスクレーパ間が常時は逆Ｖ字状に閉じて、本身のクランプユニットから下方に突出する部分の経路を塞いだ状態にあり、クランプユニットが糊付けユニット上を通過する間に、本身のクランプユニットから下方に突出する部分が、スクレーパの本体の弾性付勢力に抗して一対のスクレーパ間の間隙を広げながら、一対のスクレーパ間を通過する。
それによって、本身の厚さが異なる場合であっても、スクレーパのスクレープ部が本身の背両側ののど領域に確実に係合し、背の長さ方向に沿って横糊の塗布が均一に行われる。また、スクレーパのスクレープ部の位置が固定されず、本身の背両側ののど領域の変位に容易に追従し得るので、本身が背の長さ方向に波打っている場合であっても、クランプユニットの通過の間に、スクレープ部が、本身の背両側ののど領域に確実に係合し、横糊の塗布が均一に行われる。【００２０】
また、本身の厚さに応じて一対のスクレーパ間の間隔を調節しなくてもよいので、一対のスクレーパの間隔調節機構を備える必要がなく、糊付けユニットの構造が簡素化され、それによって糊付けユニットの製造コストが低減される。
【図面の簡単な説明】
【００２１】
【図１】本発明の１実施例による無線綴じ製本装置の糊付けユニットの概略構成を示す斜視図である。
【図２】本身通過時の図１の糊付けユニットを示す概略的な側面図である。
【図３】本身通過時の図１の糊付けユニットを示す平面図である。
【図４】スクレーパの変形例を示す斜視図である。
【図５】背が波打った本身が図１の糊付けユニット上を通過する状態を示す平面図である。
【図６】従来の無線綴じ製本装置の概略構成を示す平面図である。
【発明を実施するための形態】
【００２２】
以下、添付図面を参照して本発明の好ましい実施例について説明する。図１は、本発明の１実施例による無線綴じ製本装置の糊付けユニットの主要部を示す斜視図である。図２は、本身通過時の図１の糊付けユニットの側面図であり、図３は、本身通過時の図１の糊付けユニットの主要部を示す平面図である。
【００２３】
本発明による糊付けユニットは、無線綴じ製本装置に組み込まれるとともに、無線綴じ製本装置のクランプユニットＫの軌道の途中において軌道の下方に配置され、クランプユニットＫが通過する間に、クランプユニットＫに挟持された本身ＰのクランプユニットＫから下方に突出する背ｒおよび背両側ののど領域ｓに糊を塗布する。
【００２４】
糊付けユニットは、図１および図２に示されるように、フレーム１と、フレーム１に取付けられた、糊を収容する糊タンク２を備えている。糊は、ホットメルト等の加熱によって溶融される糊からなっており、糊タンク２は、糊付けユニットの作動中、（図示されない）ヒータによって加熱されるようになっている。
【００２５】
糊付けユニットは、また、糊タンク２内に収容され、フレーム１に対し、クランプユニットＫの軌道を横切ってのびる回転軸３ａのまわりに回転可能に取付けられた、本身Ｐの背ｒに糊を塗布する糊塗布ローラ３と、フレーム１に取付けられるとともに、糊塗布ローラの回転軸３ａに連結され、糊塗布ローラ３を回転させるモータ４を備えている。
【００２６】
糊塗布ローラ３は、その一部が糊タンク２の糊に浸漬されるとともに、糊が付着した糊塗布ローラ３の頂面３ｂの領域が本身Ｐの背ｒに係合するようになっている。糊塗布ローラ３は、モータ４によって、クランプユニットＫの移動方向に対し順方向または逆方向に一定速度で回転せしめられる。なお、図示の実施例では、糊塗布ローラ３は、クランプユニットＫの移動方向に対し逆方向に回転せしめられる。
【００２７】
糊付けユニットは、また、フレーム１に対し、クランプユニットＫの軌道を横切ってのびる軸５ａのまわりに回動可能に取付けられ、糊塗布ローラ３の回転方向の糊塗布ローラ３の頂面よりも上流側において糊塗布ローラ３の外周面に対し当接および離間し得るワイパー５と、ワイパー５を回動させるワイパー駆動機構６を備えている。そして、ワイパー５と糊塗布ローラ３の外周面との間の間隔が調節されることで、糊塗布ローラに付着する糊の量が調節される。なお、ワイパー５およびワイパー駆動機構６は、必要に応じて備えられる。
【００２８】
さらに、糊付けユニットは、フレーム１に取付けられて、本身ＰのクランプユニットＫから下方に突出する部分の経路の両側に配置され、本身Ｐの背両側ののど領域ｓに係合することにより、糊塗布ローラ３によって本身Ｐの背ｒに塗布され、背ｒの両側にはみ出した糊を、のど領域ｓに塗布する横糊塗布部材を備えている。
本発明によれば、横糊塗布部材は、一対のスクレーパ７、７を備えている。スクレーパ７は、この実施例では、弾力性を有する棒状の本体７ａと、本体７ａの先端に設けられたスクレープ部７ｂとから構成され、スクレープ部７ｂは、下向きに直角に折り曲げられた後、前方斜め下向きに折り曲げられた本体７ａの先端部からなっている。なお、この実施例では、スクレープ部７ｂは、本体７ａの先端部を下向きに２回折り曲げたものからなっているが、スクレープ部７ｂは、本体７ａの先端部を下向きに任意の角度で任意の回数折り曲げたものからなっていてよい。
【００２９】
一対のスクレーパ７、７は、図１に示されるように、本身ＰのクランプユニットＫから下方に突出する部分の経路の両外側から本身Ｐの移動方向に沿って該経路内に斜めに進入して、該経路を塞ぐように逆Ｖ字状に交差するように配置され、本体７ａの後端が該経路の両外側においてフレーム１または糊タンク２に固定され、スクレープ部７ｂが該経路内において糊塗布ローラ３の頂面３ｂよりも下流側に位置する。
この実施例では、本身ＰのクランプＫから下方に突出する部分の経路の下方において本身Ｐの移動方向を横切って延びる支持板８がフレーム１に固定され、この支持板の該経路の両外側の位置にそれぞれ支持台９が設けられており、各支持台９に、対応するスクレーパ７の本体７ａの後端が固定される。この場合、各支持台９は、高さ調節可能になっていてもよい。
【００３０】
本発明によれば、一対のスクレーパ７、７間が常時は逆Ｖ字状に閉じて、本身ＰのクランプユニットＫから下方に突出する部分の経路を塞いだ状態にあり、クランプユニットＫが糊付けユニット上を通過する間に、本身ＰのクランプユニットＫから下方に突出する部分が、スクレーパ７、７の本体７ａ、７ａの弾性付勢力に抗して一対のスクレーパ７、７間の間隙を広げながら、一対のスクレーパ７、７間を通過する。
【００３１】
それによって、図３に示されるように、本身Ｐの厚さが異なる場合でも、スクレーパ７のスクレープ部７ｂが確実に本身Ｐの背両側ののど領域ｓに係合する。その結果、糊塗布ローラ３によって本身Ｐの背ｒに塗布され、背ｒの両側にはみ出した糊が、スクレーパ７によって掻き取られながら、本身Ｐの背両側ののど領域ｓに均一に塗布される。また、スクレーパ７、７のスクレープ部７ｂ、７ｂの位置が固定されず、本身Ｐの背両側ののど領域ｓの変位に容易に追従し得るので、本身Ｐが背の長さ方向に波打っている場合であっても、図５に示されるように、クランプユニットＫの通過の間に、スクレープ部７ｂ、７ｂが、本身Ｐの背両側ののど領域ｓに確実に係合し、横糊の塗布が均一に行われる。
【００３２】
また、本発明によれば、本身Ｐの厚さに応じて一対のスクレーパ７、７間の間隔を調節しなくてもよいので、一対のスクレーパ７、７の間隔調節機構を備える必要がなく、それによって、糊付けユニットの構造が従来のものよりも簡素化され、糊付けユニットの低コスト化が実現される。
【００３３】
以上、本発明を好ましい１実施例に基づいて説明したが、本発明の構成はこの実施例に限定されるものではなく、添付の請求の範囲に記載された構成の範囲内において種々の変形例を案出することができる。
【００３４】
例えば、本発明の別の好ましい実施例によれば、図４Ａに示されるように、スクレーパ２０の本体２０ａは、弾力性を有する棒状を有し、スクレープ部２０ｂは、本体２０ａの先端に設けられた、上下方向にのびる中空のまたは中身の詰まった円筒体からなっている。そして、スクレープ部（円筒体）２０ｂの外周面の一部が本身Ｐの背両側ののど領域ｓに係合する。
【００３５】
本発明のさらに別の好ましい実施例によれば、図４Ｂに示されるように、スクレーパ２１は、弾力性を有する細長い板状の本体２１ａを有し、本体２１ａの先端部が、本体２１ａの幅方向に沿って折り曲げられることによって、折り線に沿って角２１ｂが形成される。そして、スクレープ部はこの角２１ｂからなり、一対のスクレーパ２1、２１は、スクレープ部（角）２１ｂ、２１ｂが互いに対向するような配置で、フレーム１に取付けられる。
【００３６】
また、別の好ましい実施例によれば、図４Ｃに示されるように、スクレーパ２２の本体２３は、弾力性を有する細長い板状を有し、スクレープ部２４は、本体２３の先端に設けられたローラ受け部２４ａを備えている。ローラ受け部２４ａは、上下に間隔をあけて対向配置された上側および下側支持面と、上側および下側支持面の間に形成されたローラ収容開口２４ｂとを有している。スクレープ２４部は、さらに、ローラ収容開口内２４ｂに配置され、上側および下側支持面に対し、上下方向にのびる軸のまわりに回転可能に取付けられたスクレープローラ２４ｃを備えている。そして、スクレープローラ２４ｃの外周面が、本身Ｐの背両側ののど領域ｓに係合する。
【符号の説明】
【００３７】
１  フレーム
２  糊タンク
３  糊塗布ローラ３
３ａ  回転軸
３ｂ  頂面
４  モータ
５  ワイパー
５ａ  軸
６  ワイパー駆動機構
７  スクレーパ
７ａ  本体
７ｂ  スクレープ部
８  支持板
９  支持台
２０  スクレーパ
２０ａ  本体
２０ｂ  スクレープ部（円筒体）
２１  スクレーパ
２１ａ  本体
２１ｂ  スクレープ部（角）
２２  スクレーパ
２３  本体
２４  スクレープ部
２４ａ  ローラ受け部
２４ｂ  ローラ収容空間
２４ｃ  スクレープローラ
Ｋ  クランプユニット
Ｐ  本身
ｒ  背
ｓ  背両側ののど領域
【図１】
2013031014.tif 000003
【図２】
2013031014.tif 000004
【図３】
2013031014.tif 000005
【図４】
2013031014.tif 000006
【図５】
2013031014.tif 000007
【図６】
2013031014.tif 000008
【国際調査報告】
2013031014.tif 000009
2013031014.tif 000010
2013031014.tif 000011
2013031014.tif 000012